(57)【要約】    【課題】  下部架台に内蔵された凝縮器用フィルタのメンテナンス作業に伴う、フィルタの取り付け，取外し作業を容易に行うことを可能とする冷凍機内蔵型ショーケースを提供する。    【解決手段】  通気孔カバー５の凝縮器側の端部付近に、フィルタ９Ａ，９Ｂの左右両側部及び下部の外周端を支持する支持片５ｄが形成されるとともに、前記支持片５ｄから所定間隔をおいた外気側に支持片５ｄと略同様の仕切片５ｅが形成されており、支持片５ｄと仕切片５ｅとの間がフィルタ保持部７として機能する。フィルタ保持部７は、上部側からフィルタ９Ａ，９Ｂが抜き差し可能なように形成されており、支持片５ｄと仕切片５ｅとの間は複数枚のフィルタが保持可能な程度の間隔に設定されている。【選択図】      図２
2004245569.tif 000002
【特許請求の範囲】
【請求項１】
ショーケース下部の架台内部に凝縮器を構成要素として含む冷凍機を内蔵し、前記架台前面のキックプレートに、外気取入用の通気孔を有する通気孔カバーを着脱自在に取り付けた冷凍機内蔵型ショーケースにおいて、
前記通気孔カバーに前記凝縮器のフィルタを着脱可能に保持するフィルタ保持部を備えたことを特徴とする冷凍機内蔵型ショーケース。
【請求項２】
前記フィルタ保持部は、複数枚の前記フィルタを保持可能に形成されたことを特徴とする請求項１に記載の冷凍機内蔵型ショーケース。
【請求項３】
前記通気孔カバーは、前記フィルタ保持部の前面側に、前記通気孔から吸い込まれた外気を前記フィルタ保持部に保持されたフィルタへ導風するように構成した外気取入用ガイドを備えたことを特徴とする請求項１又は請求項２に記載の冷凍機内蔵型ショーケース。
【請求項４】
前記外気取入用ガイドは、上部，下部及び左右両側部の４方向を囲むように形成されたことを特徴とする請求項３に記載の冷凍機内蔵型ショーケース。
【請求項５】
前記架台又はキックプレートに対して、少なくとも前記通気孔カバーの上部側を開閉可能に支持する支持部材を備えることを特徴とする請求項１〜４のいずれかに記載の冷凍機内蔵型ショーケース。
【請求項６】
前記複数枚のフィルタのうち、少なくとも１枚は不織布により構成されていることを特徴とする請求項２に記載の冷凍機内蔵型ショーケース。
【発明の詳細な説明】
【技術分野】
【０００１】
本発明は、ケーシング下部の架台に設けられた凝縮器用フィルタ等のメンテナンス作業に伴う、前記フィルタの取り付け，取り外しを容易に行うことが可能な冷凍機内蔵型ショーケースに関する。
【背景技術】
【０００２】
従来の冷凍機内蔵型ショーケースは、冷凍機の構成要素である圧縮機，凝縮器，送風機（ここでは凝縮器の熱交換の為のエアフローを強制的に行う送風機を指す。）などが、ケーシングの下部架台の内部に設置されている。
前記下部架台の前面には、前記凝縮器で熱交換される外気を取り入れるための通気孔をあけたキックプレートが取り付けられ、前記凝縮器と通気孔との間には、凝縮器用のフィルタが配設されている。
このような従来の冷凍機内蔵型ショーケースについては、フィルタ又は通気孔部分の清掃等のメンテナンス作業における作業性の向上を図るために、キックプレートとは別体に、通気孔を多数あけた外気取入用カバーを形成した構成が公知となっている（例えば、特許文献１参照。）
【特許文献１】特開平１０−３１１６５７号公報（第３頁、図１−２）
【０００３】
図６，図７は、特許文献１に記載の冷凍機内蔵型ショーケースを示す全体斜視図である。
図６，図７に示すように、特許文献１に記載の冷凍機内蔵型ショーケース２１は、ケーシング２２の下部架台２３内に圧縮機（図示せず），凝縮器２４，送風機（図示せず）等を備える。下部架台２３の前面には、下部架台２３内部を保護するために、キックプレート２５が設けられ、該キックプレート２５の前記凝縮器２４直前位置に開口２５ａが設けられている。凝縮器２４の前面側にはフィルタ２６が止め金具により着脱自在に装着され、開口２５ａには通気孔カバー２７が着脱自在に取り付けられている。通気孔カバー２７には、複数の通気孔２７ａが形成されるとともに、通気孔カバー２７の下端２７ｂは、キックプレート２５の開口２５ａ下部に設けられた溝２５ｂに挿着され、その上部に係止具としてマグネット２７ｃ，２７ｃが取り付けられている。また、通気孔カバー２７には、その上部に成形品からなる取手２８が設けられている。このように、キックプレート２５とは別体に通気孔カバー２７を形成することにより、フィルタ２６のメンテナンス作業等の際の作業性の向上を図っている。
【発明の開示】
【発明が解決しようとする課題】
【０００４】
しかし、特許文献１に記載の冷凍機内蔵型ショーケース２１では、凝縮器２４の前面側に対して直接フィルタ２６を取り付ける構成であるため、フィルタ２６のメンテナンス作業に伴うフィルタ自体の取り付け，取外し作業には労力を要することとなっていた。
即ち、一般に凝縮器２４前面にフィルタ２６を取り付ける場合には、止め金具等を用いてフィルタ２６を固定することとなるためフィルタ２６のメンテナンス作業時に止め金具の取外し作業が必要となることや、フィルタ２６の取付けの際に正確な位置決めが必要となる等、作業が煩雑なものとなっていた。また、取外し作業中にフィルタ２６に付着した埃等が床に落ち易いという問題があった。
【０００５】
本発明は、前記課題を解決するためのものであり、下部架台に内蔵された凝縮器用フィルタのメンテナンス作業に伴う、フィルタの取り付け，取外し作業を容易に行うことを可能とする冷凍機内蔵型ショーケースを提供することを目的とする。
【課題を解決するための手段】
【０００６】
上記の課題を解決するため本発明は、ショーケース下部の架台内部に凝縮器を構成要素として含む冷凍機を内蔵し、前記架台前面のキックプレートに、外気取入用の通気孔を有する通気孔カバーを着脱自在に取り付けた冷凍機内蔵型ショーケースにおいて、前記通気孔カバーに前記凝縮器のフィルタを着脱可能に保持するフィルタ保持部を備えたことを特徴とする。これにより、通気孔カバーの取外しによって、容易にフィルタの着脱を行うことができ、フィルタ等のメンテナンス時の作業性を向上させることができる。
この場合、前記フィルタ保持部を、複数枚の前記フィルタを保持可能に形成することにより、ショーケースの設置場所等の条件に応じて、種々のフィルタを組合せて用いることが可能となる。さらに、複数枚のフィルタのうち、少なくとも１枚は不織布により構成されているものを用いることにより、厨房近く等、油の付着するような場所にショーケースが設置される場合においても、容易かつ適切なメンテナンス作業を可能とすることができる。
【０００７】
また、前記通気孔カバーは、前記フィルタ保持部の前面側に、前記通気孔から吸い込まれた外気を前記フィルタ保持部に保持されたフィルタへ導風するように構成した外気取入用ガイドを備えたことを特徴とする。これにより、外気がフィルタを通過せずに凝縮器に吸込まれることを確実に防止することができる。
また、前記外気取入用ガイドを、上部，下部及び左右両側部の４方向を囲むように形成することにより、凝縮器を通過した高温の排気を吸込むことなく、通気孔から吸込んだ外気のみをフィルタに導風することができる。
【０００８】
さらに、前記架台又はキックプレートに対して、少なくとも前記通気孔カバーの上部側を開閉可能に支持する支持部材を備えることを特徴とすることにより、フィルタ交換時に通気孔カバーを手で支える必要が無くなり、メンテナンス作業を容易に行うことが可能となる。
【発明の効果】
【０００９】
以上、説明したように、本発明の冷凍機内蔵型ショーケースによれば、次のような効果を奏する。
（１）通気孔カバーに凝縮器用フィルタの保持部を備えることとしたので、通気孔カバーの取外しにより凝縮器用フィルタの着脱を容易に行うことができ、フィルタ洗浄等のメンテナンス時におけるフィルタの取り付け，取り外し作業が容易となる。
（２）また、前記フィルタ保持部を、複数枚のフィルタが挿通可能なように形成したので、ショーケースの設置場所等の条件に応じて、種々のフィルタを組合せて用いることができる。
（３）また、前記通気孔カバーは、外気を前記フィルタ保持部に保持されたフィルタへ導風するように構成した外気取入用ガイドを備えたので、外気がフィルタを通過せずに凝縮器に吸込まれることを確実に防止することができる。さらに、前記外気取入用ガイドを、上部，下部及び左右両側部の４方向を囲むように形成したので、凝縮器を通過した高温の排気を吸込むことをより確実に防止することができる。
（４）また、前記通気孔カバーに、前記架台又はキックプレートに対して、上部側を開放状態で支持する支持部材を備えることとしたので、通気孔カバーを手で支えること無く、フィルタの交換作業を容易に行うことが可能となる。
（５）さらに、凝縮器用フィルタとして、不織布で構成された使い捨て用のフィルタを用いることとしたので、冷凍機内蔵型ショーケースを厨房に設置した場合のように、フィルタに油が付着する場合であっても、より適切なメンテナンスを行うことができる。
【発明を実施するための最良の形態】
【００１０】
以下、本発明の実施の形態について、図面に基づき説明する。
図１は本発明の一実施の形態に係る冷凍機内蔵型ショーケースを示す斜視図であり、図２及び図３は本実施の形態に係る冷凍機内蔵型ショーケースに用いられる通気孔カバーを示す分解斜視図及び側面図である。
図１に示すように、本実施の形態に係るショーケース１は、冷凍機の構成要素である圧縮機，凝縮器，送風機（冷凍機の構成要素については図示を省略。）などが、前記ケース１のケーシング２の下部架台３内部に配置されている。下部架台３の前面には、下部架台３内部を保護するために、キックプレート４が設けられ、該キックプレート４の前記凝縮器直前の位置に開口４ａが設けられている。
開口４ａにはキックプレート４と別体に構成された通気孔カバー５が着脱自在に取り付けられている。通気孔カバー５は、特許文献１に記載のショーケースと略同様に、多数の通気孔５ａと、キックプレート４の開口４ａ下部に設けられた溝４ｂに挿着される下端５ｂと、マグネット５ｃ，５ｃと、取手６とを有する。
なお、１０はドレン窓カバー、１１はコントロールパネル操作窓カバーである。また、ケーシング２の上部は、上方を開口させた箱形の形状をなし、箱部を商品陳列部１２として、冷凍食品或いは冷蔵食品を収納し、吹出口１３より吸込口（図示せず）に冷気のエアカーテンを形成して、商品陳列部１２の食品等を保冷するようになっている。
【００１１】
本発明は、下部架台３に内蔵された凝縮器用のフィルタを着脱自在に保持するフィルタ保持部を通気孔カバー５に設けたものである。
本実施の形態では、通気孔カバー５の凝縮器側の端部付近に、フィルタ９Ａ，９Ｂの左右両側部及び下部の外周端を支持する支持片５ｄが形成されるとともに、前記支持片５ｄから所定間隔をおいた外気側に支持片５ｄと略同様の仕切片５ｅが形成されており、支持片５ｄと仕切片５ｅとの間がフィルタ保持部７として機能する。フィルタ保持部７では、支持片５ｄ，５ｄと仕切片５ｅ，５ｅとの間隔が複数枚のフィルタを保持可能な程度に設定されており、上部側からフィルタ９Ａ，９Ｂが抜き差し可能なように、フィルタ９Ａ，９Ｂの枠体の上部側端部がフィルタ保持部７の上部より突出するごとく形成されている。また、仕切片５ｄの凝縮器側端面の位置は、フィルタ９Ａ，９Ｂと凝縮器前面との隙間をできるだけ少なくするため、凝縮器前面に略当接するように設定されている。同様に、仕切片５ｄの位置についても、フィルタ９Ａ，９Ｂが凝縮器前面の近くで保持されるように、できるだけ凝縮器寄りに設定される。
また、仕切片５ｅの外気側には、上部，下部及び左右両側部の４方向を囲むように形成された外気取入用ガイド５ｆが設けられており、通気孔５ａから取入れた外気をフィルタ９Ａ，９Ｂを介して凝縮器前面に導風するための外気用ダクト８を構成している。外気取入用ガイド５ｆの上部側とフィルタ９Ａとは、仕切片５ｅの厚み分だけ隙間を有している。
また、フィルタ９Ａ，９Ｂはショーケースの設置場所等の条件に応じて種々のものを用いることが可能であるが、本実施の形態では、一例として外気側に不織布で構成された使い捨て用のフィルタ９Ａを用い、凝縮器側に樹脂材等で構成された洗浄可能なフィルタ９Ｂを用いている。
【００１２】
以上の構成により、フィルタ９Ａ，９Ｂのメンテナンス時には、キックプレート４から通気孔カバー５を取り外すことにより、フィルタ保持部７の上部側からフィルタ９Ａ，９Ｂの着脱を容易に行うことが可能となる。
一方、ショーケース１の冷却時には、フィルタ保持部７にフィルタ９Ａ，９Ｂを差し込んだ状態で、通気孔カバー５をキックプレート４の開口部４ａに取り付けることにより、通気孔５ａから吸込まれた外気が、外気用ダクト８によりフィルタ９Ａ，９Ｂに確実に導風され、フィルタ９Ａ，９Ｂを通過して凝縮器前面に送られることとなる。この場合、外気用ダクト８を、上部，下部及び左右両側部の４方向を囲むように形成された外気取入用ガイド５ｆにより構成したので、凝縮器を通過して熱交換された高温の排気に対して、特に上部側の外気取入用ガイド５ｆが遮蔽板として機能することとなり、下部架台３内を回り込む高温の排気が凝縮器に吸込まれることを防止できる。
また、外気側のフィルタ９Ａを不織布で構成された使い捨て可能なフィルタとすることにより、厨房内に設置される場合等、フィルタに油が付着する場合であってもメンテナンスを容易に行うことが可能となる。
【００１３】
以上のように、本実施の形態に係るショーケースによれば、キックプレートとは別体に構成した通気孔カバーに凝縮器用フィルタの保持部を備えたので、通気孔カバーを取り外すことにより、凝縮器用フィルタの着脱を容易に行うことができる。また、凝縮器用フィルタの保持部を、凝縮器側端部の支持片と外気側の仕切片とで構成し、上部側からフィルタの抜き差しを可能としたので、通気孔カバーを完全に取り外すことなく、上部側のみを外して前面側に傾けた状態とすることにより、凝縮器用フィルタの着脱を行うことが可能となる。この際、フィルタ保持部７の上部から突出したフィルタ９Ａ，９Ｂの枠体の上部側端部を持つことにより、手を汚すこと無く、容易にフィルタ９Ａ，９Ｂの引き抜き作業を行うことができる。また、外気取入用ガイド５ｆの上部側とフィルタ９Ａとの間に、仕切片５ｅの厚み分だけ隙間を有しているため、フィルタ９Ａの引き抜きの際にフィルタ９Ａに付着した埃を落とすことがなくなる。
さらに、複数枚のフィルタを着脱可能に保持できることとしたので、ショーケースの設置場所等の条件に応じて、種々のフィルタを組合せて用いることが可能となる。
また、仕切片の外気側に外気取入用ガイドを形成したので、通気孔から吸い込んだ外気をより確実に凝縮器用フィルタへ導風することができる。この場合、外気取入用ガイドを、上部，下部及び左右両側部の４方向を囲むように形成したので、凝縮器を通過した高温の排気を吸込むことなく、通気孔から吸込んだ外気のみを確実にフィルタへ導風することができる。また、上部を塞ぐことにより、凝縮器用フィルタについて外気用ダクト側への入れ間違いを防止することも可能となる。
さらに、通気孔カバーに外気取入用ガイドを形成しているので、通気孔カバーの取外しにより、外気取入用ガイド自体の清掃作業等のメンテナンスが容易となる。
また、フィルタについては、不織布により構成された使い捨て可能なフィルタと、樹脂材により構成された洗浄可能なフィルタとを組合せて用いることとしているが、ショーケースの設置場所等の条件に応じて、種々のフィルタを用いることができる。
【００１４】
なお、通気孔カバーについては、キックプレート又は機械室等に対し、少なくとも通気孔カバーの上部側を開閉可能に支持する支持部材を設けることとしてもよい。
例えば、図４に示すように、外気取入用カバー５ｆの上部両側面に、下部架台３側に向かって延長する平板状の支持部材１４を回動可能に取付けるとともに、下部架台３内部に支持部材１４の先端部を係止する係止部材１５を設けることとしてもよい。
この場合、支持部材１４は、平板部１４ａと、平板部１４ａの架台側先端において平面視略Ｌ字状に折曲した係止片１４ｂとから構成されており、係止部材１５には、支持部材１４先端の係止片１４ｂが挿通可能な開口部１５ａと、開口部１５ａから挿通された支持部材１４の平板部１４ａを上下方向にスライド可能とする溝部１５ｂとが形成されている。
以上の構成により、通気孔カバー５が取り付けられている状態では、図５（ａ）に示すように、支持部材１４の下部架台３側の平板部１４ａが、係止部材１５の溝部１５ｂから、下部架台３内部に収納されることとなる。
一方、通気孔カバー５の上部側が外された状態では、図５（ｂ）に示すように、溝部１５ｂから支持部材１４の平板部１４ａが引き出され、薄板状に形成された係止部材１５の裏面に係止片１４ｂが係止されることとなる。この場合、通気孔カバー５は、支持部材１４により上部側が開放された状態で支持されることとなるため、通気孔カバー５を手で支えること無く、フィルタ交換作業を行うことが可能となる。従って、メンテナンス作業が容易になるとともに、通気孔カバー５が完全に外れて床に倒れること等による、店舗内の床面又は通気孔カバー５の前面の汚れ，傷等を防止することが可能となる。
また、下部架台３内部の機械室等のメンテナンスを行う際には、図５（ｂ）に一点鎖線で示すように、支持部材１４を持ち上げ、係止片１４ｂを係止部材１５の開口部１５ａから抜き出すことにより、通気孔カバー５を完全に取り外すことが可能となる。
【００１５】
また、前記各実施の形態では、通気孔カバーに備えられたフィルタ保持部を支持片と仕切片とにより構成し、フィルタを上部側から抜き差し可能なものとして説明したが、これに限定されるものではなく、フィルタを着脱自在に保持できるものであれば他の構成でもよい。この場合、保持部は一枚のフィルタのみを着脱自在に保持できるものとしてもよいが、複数枚のフィルタを着脱自在に保持できる構成のものが好ましい。また、フィルタ保持部において複数枚の各フィルタ毎に仕切りを設けることとしてもよい。また、フィルタを左，右のいずれか一方から抜き差し可能なように構成することとしてもよい。
また、外気取入用ガイドについては、上部側を省略することとしてもよい。但し、この場合には、凝縮器を通過した高温の排気の吸込みを防止する手段として、凝縮器の上面と下部架台の天板との隙間を塞ぐスポンジ等の緩衝材が必要となるため、上部側にも外気取入用ガイドを設けることが好ましい。
また、支持部材又は係止部材の形状，取付位置等は、前記実施の形態に示すものに限らず、少なくとも通気孔カバーの上部側を開閉可能に支持可能なものであれば、他の構成としてもよい。従って、前記実施の形態では、通気孔カバーの支持部材の係止部材側を取り外し可能なものとして説明しているが、通気孔カバー側を取り外し可能に取付けるものとして構成してもよい。また、支持部材は、必ずしも左右両側面に設ける必要は無く、通気孔カバーを安定的に支持することが可能であれば、左右一方のみに設けることとしてもよく、側面以外の部位に設けることとしてもよい。また、通気孔カバーの上部側だけでなく、通気孔カバー全体を引き出した状態で支持するものとしてもよい。
また、本願の実施の形態において、平型のショーケースを図示したが、これに限定されるものではなく、例えば縦型等の他の冷凍機内蔵型ショーケースに適用できることは勿論である。
【図面の簡単な説明】
【００１６】
【図１】本発明の一実施の形態に係る冷凍機内蔵型ショーケースを示す全体斜視図である。
【図２】本発明の一実施の形態に係る冷凍機内蔵型ショーケースを構成する通気孔カバーを示す分解斜視図である。
【図３】本発明の一実施の形態に係る冷凍機内蔵型ショーケースを構成する通気孔カバーを示す側面図である。
【図４】本発明の他の実施の形態に係る冷凍機内蔵型ショーケースを示す全体斜視図である。
【図５】本発明の他の実施の形態に係る冷凍機内蔵型ショーケースを示す側面図である。
【図６】従来の冷凍機内蔵型ショーケースの一例を示す全体斜視図である。
【図７】外気取入用カバーを取り外した状態を示す従来の冷凍機内蔵型ショーケースの全体斜視図である。
【符号の説明】
【００１７】
１    ショーケース
２    ケーシング
３    下部架台
４    キックプレート
４ａ  開口部
４ｂ  溝
５    通気孔カバー
５ａ  通気孔
５ｂ  下端
５ｃ  マグネット
５ｄ  支持片
５ｅ  仕切片
５ｆ  外気取入用カバー
６    取手
７    フィルタ保持部
８    外気用ダクト
９Ａ，９Ｂ  フィルタ
１４    支持部材
１４ａ  平板部
１４ｂ  係止片
１５    係止部材
１５ａ  開口部
１５ｂ  溝部
【図１】
2004245569.tif 000003
【図２】
2004245569.tif 000004
【図３】
2004245569.tif 000005
【図４】
2004245569.tif 000006
【図５】
2004245569.tif 000007
【図６】
2004245569.tif 000008
【図７】
2004245569.tif 000009